(57)【要約】      （修正有）【課題】不使用時には受け骨を位置決めし、展開する時には受け骨をスムーズに活動させる傘のガイド部材を提供する。【解決手段】傘の中棒上に下ロクロ１０を有し、該下ロクロの上部に複数の位置合わせブロック４２及びガイドカバー４０が設置され、該ガイドカバーは、下ロクロのリング部材に被装されると共に、該複数の位置合わせブロックは、ガイドカバーのリング状をなす上端において所定の間隔に設けられるものであり、下ロクロ上に設けられる固定ブロック１１の上端に被装する。【選択図】図１
0003145643.tif 000002
【実用新案登録請求の範囲】
【請求項１】
傘の中棒上に下ロクロを有し、該下ロクロの上部に複数の位置合わせブロック及びガイドカバーが設置され、該ガイドカバーは、下ロクロのリング部材に被装されると共に、該複数の位置合わせブロックは、ガイドカバーのリング状をなす上端において所定の間隔に設けられるものであり、下ロクロ上に設けられる固定ブロックの上端に被装されることを特徴とする傘のガイド部材。
【請求項２】
前記固定ブロックの上側付近の外周壁に下ロクロを貫通する少なくとも一つの位置決め孔が形成され、該下ロクロの固定ブロックの上端にガイドカバー被装され、前記ガイドカバーの内周壁に少なくとも一つの固定プレートが設けられ、該少なくとも一つの固定プレートの内側に、下ロクロの位置決め孔に嵌着する少なくとも一つの位置決め凸部が設けられることを特徴とする請求項１に記載の傘のガイド部材。
【請求項３】
前記位置決め凸部の下端が円弧状であることを特徴とする請求項２に記載の傘のガイド部材
【考案の詳細な説明】
【技術分野】
【０００１】
本考案は、特に不使用時には受け骨を位置決めし、展開する時には受け骨をスムーズに活動させる傘のガイド部材に関するものである。
【背景技術】
【０００２】
図１０に示すように、傘の下ロクロ（９１）は、中棒（９２）に貫設される円筒体と、該円筒体の外周壁に所定の間隔で周設される複数の固定ブロック（９３）とを有し、前記複数の固定ブロック（９３）の間隔に受け骨（９４）が枢設線（９５）により枢設され、該枢設線（９５）の末端に締付け部（９６）が設けられるが、該締付け部（９６）は凹部を有する固定ブロック（９３）或いは前記固定ブロック（９３）の間に押し込まれるように収容されるので、該締付け部（９６）の先端が傘生地を傷つけたり、或いは使用者の指先を傷つけてしまう恐れがある。
故にその後、前記締付け部（９６）の問題を解決すべく、該締付け部（９６）にキャップ（９７）をつけ、その先端をカバーする手段が提出された。
【０００３】
又、従来の傘を折畳む時は通常、図１１に示すような状態が好ましいが、受け骨（９４）がスムーズに折畳まれないことがよくあることから、その問題を解決するために、該受け骨（９４）における、ジョイント（９９）からやや離れた位置に、受け骨（９４）の内側に嵌め込まれ、折畳み時に該受け骨（９４）を位置決めるためのガイドプレート（９８）が設けられる。尚、上記傘の構造はよく使用されているため、特に特許文献や非特許文献に記載されていなかった。
【考案の開示】
【考案が解決しようとする課題】
【０００４】
しかしながら、従来の傘のガイドプレート（９８）のようなガイド構造には、以下のような問題がある。
１．前記キャップ（９７）は、サイズが非常に小さいので、紛失しやすいと共に、強度もそれほど強くないので、短期間のうちに締付け部（９６）の先端によって削られてしまう。
２．前記ガイドプレート（９８）は、折畳まれた放射状の受け骨（９４）の末端におけるジョイント（９９）から離れた位置に設けられていることから、該ガイドプレート（９８）により位置決めされていても、該ジョイント（９９）が依然として活動可能な状態であるので、ジョイント（９９）の振動により、ジョイント（９９）を位置決めすることができない。
【０００５】
そこで、出願されたのが本考案であって、枢設線（６１）の締付け部（６２）をカバーすると共に、傘を折畳んだ際、受け骨（３０）の末端が活動しないように確実に位置決めることができる傘のガイド部材を提供することを目的としている。
【課題を解決するための手段】
【０００６】
本願の請求項１の考案は、傘の中棒上に下ロクロを有し、該下ロクロの上部に複数の位置合わせブロック及びガイドカバーが設置され、該ガイドカバーは、下ロクロのリング部材に被装されると共に、該複数の位置合わせブロックは、ガイドカバーのリング状をなす上端において所定の間隔に設けられるものであり、下ロクロ上に設けられる固定ブロックの上端に被装されることを特徴とする傘のガイド部材、を提供する。
【０００７】
本願の請求項２の考案は、前記固定ブロックの上側付近の外周壁に下ロクロを貫通する少なくとも一つの位置決め孔が形成され、該下ロクロの固定ブロックの上端にガイドカバー被装され、前記ガイドカバーの内周壁に少なくとも一つの固定プレートが設けられ、該少なくとも一つの固定プレートの内側に、下ロクロの位置決め孔に嵌着する少なくとも一つの位置決め凸部が設けられることを特徴とする請求項１に記載の傘のガイド部材、を提供する。
【０００８】
本願の請求項３の考案は、前記位置決め凸部の下端が円弧状であることを特徴とする請求項２に記載の傘のガイド部材、を提供する。
【考案の効果】
【０００９】
本考案の傘のガイド部材は、枢設線の締付け部がカバーされ、傘を折畳んだ際、受け骨の末端が活動しないように確実に位置決めることができるので、使用寿命をより延ばすことができる。
【考案を実施するための最良の形態】
【００１０】
以下、添付図面を参照して本考案の好適な実施の形態を詳細に説明する。
【００１１】
図１は本考案に係る傘のガイド部材の第一実施例を示す部分分解斜視図であり、図２は本考案に係る傘のガイド部材の第一実施例の使用状態を示す斜視図であり、図３は本考案に係る傘のガイド部材の第一実施例の使用状態を示す一部断面図であり、図４は本考案に係る傘のガイド部材の第一実施例の展開状態を示す斜視図であり、図５は本考案に係る傘のガイド部材の第一実施例の折畳み状態を示す斜視図であり、図６は本考案に係る傘のガイド部材の第一実施例の使用状態を示す断面図であり、図７は本考案に係る傘のガイド部材の第二実施例を示す部分分解斜視図であり、図８は本考案に係る傘のガイド部材の第二実施例の使用状態を示す断面図であり、図９は本考案に係る傘のガイド部材の第二実施例の使用状態を示す断面図である。
【００１２】
図１乃至図３及び図６に示すように、傘の下ロクロ（１０）は、中棒（２０）に貫設される筒体（符号なし）と、外周壁に所定の間隔で設けられる六つの固定ブロック（１１）とを有し、該六つの固定ブロック（１１）の一つに外向凹部（符号なし）が形成されると共に、前記六つの固定ブロック（１１）の間に枢設線（６１）により放射状に受け骨（３０）が枢設され、該枢設線（６１）の末端が締付け部（６２）が形成されると共に、該締付け部（６２）が固定ブロック（１１）の外向凹部に収容される。
【実施例１】
【００１３】
本考案に係る傘のガイド部材の第一実施例は、図１乃至図３に示すように、
傘の下ロクロ（１０）の固定ブロック（１１）の上端にリング状のガイドカバー（４０）が被装されると共に、該ガイドカバー（４０）の外周壁に所定の間隔で六つの位置合わせブロック（４２）が設けられる構成を有する。
【００１４】
前記各位置合わせブロック（４２）は、内側面（４２１）及び扇形の上面（４２２）を有し、
該内側面（４２１）は、前記下ロクロ（１０）における固定ブロック（１１）の外周面の形状に対応し、各固定ブロック（１１）を覆う形状に形成される。
【００１５】
図４及び図５に示すように、本実施例に係る傘のガイド部材を使用する時は、該ガイド部材が傘の中棒（２０）上に設置され、各位置合わせブロック（４２）が前記下ロクロ（１０）における固定ブロック（１１）上に被装され、それら六つの位置合わせブロック（４２）と固定ブロック（１１）の間に収容凹部（符号なし）が形成されることから、本実施例に係る傘のガイド部材は下ロクロ（１０）の真上に位置しているので、傘、即ち受け骨（３０）を折畳む時は、効率よく且つ確実に受け骨（３０）を前記位置合わせブロック（４２）と固定ブロック（１１）の間における収容凹部に収容することができる。特に折畳み式傘の場合は、位置決めし難いジョイント（５０）を確実に位置決めすることができる。故に、傘を簡単に素早くかつ、綺麗に折畳むことができる。
【００１６】
又、図６に示すように、前記構成によれば、締付け部（６２）には位置合わせブロック（４２）が被装されるので、枢設線（６１）の末端における締付け部（６２）の先端により傘生地や使用者の指先を傷つけることはない。
【実施例２】
【００１７】
図７に示すように、本考案に係る傘のガイド部材の第二実施例は、前記固定ブロック（１１）の上側付近の外周壁に下ロクロ（８０）を貫通する少なくとも一つの位置決め孔（８１）が形成され、該下ロクロ（８０）の固定ブロック（１１）の上端にガイドカバー（４０）が被装され、前記ガイドカバー（４０）の内周壁に少なくとも一つの固定プレート（７１）が設けられ、該少なくとも一つの固定プレート（７１）の内側に、下ロクロ（１０）の位置決め孔（８１）に嵌着する少なくとも一つの位置決め凸部（７１１）が設けられる。
【００１８】
更に、前記位置決め凸部（７１１）は、その上端を位置決め孔（８１）に係止するように直角とし、下端を円弧状とすることによって、ガイド部材の上方への移動を阻止すると共に、該位置決め凸部（７１１）が位置決め孔（８１）から離脱できるように、下方への移動を可能としている。
【００１９】
図８及び図９に示すように、以下、本実施例に係るガイド部材の使用方法を説明する。
本実施例のガイド部材を組み立てる時は、先ず位置決め凸部（７１１）を下ロクロ（８０）における、上側の位置決め孔（８１）に嵌めて、ガイドカバー（４０）を下ロクロ（８０）に環装し、所定の組立工程を施した後、該ガイドカバー（４０）を下方に移動させて位置決め凸部（７１１）を下側の位置決め孔（８１）に嵌める。このような流れの組立工程を施すことにより、製造効率の向上を図ることができる。
【産業上の利用可能性】
【００２０】
上述したように、本考案に係る傘のガイド部材は、締付け部（６２）に位置合わせブロック（４２）が被装されることから、枢設線（６１）の末端における締付け部（６２）の先端により傘生地や使用者の指先を傷つけることはないので、製造効率が向上すると共に、破損の恐れもなく、安全性にも優れている。
【図面の簡単な説明】
【００２１】
【図１】本考案に係る傘のガイド部材の第一実施例を示す部分分解斜視図である。
【図２】本考案に係る傘のガイド部材の第一実施例の使用状態を示す斜視図である。
【図３】本考案に係る傘のガイド部材の第一実施例の使用状態を示す一部断面図である。
【図４】本考案に係る傘のガイド部材の第一実施例の展開状態を示す斜視図である。
【図５】本考案に係る傘のガイド部材の第一実施例の折畳み状態を示す斜視図である。
【図６】本考案に係る傘のガイド部材の第一実施例の使用状態を示す断面図である。
【図７】本考案に係る傘のガイド部材の第二実施例を示す部分分解斜視図である。
【図８】本考案に係る傘のガイド部材の第二実施例の使用状態を示す断面図である。
【図９】本考案に係る傘のガイド部材の第二実施例の使用状態を示す断面図である。
【図１０】従来の傘の枢設線の締付け部を覆うキャップの使用状態を示す部分斜視図である。
【図１１】従来の傘のガイドプレートの使用状態を示す斜視図である。
【符号の説明】
【００２２】
１０    下ロクロ
１１    固定ブロック
２０    中棒
３０    受け骨
４０    ガイドカバー
４２    位置合わせブロック
４２１  内側面
４２２  上面
５０    ジョイント
６１    枢設線
６２    締付け部
７１    固定プレート
７１１  位置決め凸部
８０    下ロクロ
８１    位置決め孔
９１    下ロクロ
９２    中棒
９３    固定ブロック
９４    受け骨
９５    枢設線
９６    締付け部
９７    キャップ
９８    ガイドプレート
９９    ジョイント
【図１】
0003145643.tif 000003
【図２】
0003145643.tif 000004
【図３】
0003145643.tif 000005
【図４】
0003145643.tif 000006
【図５】
0003145643.tif 000007
【図６】
0003145643.tif 000008
【図７】
0003145643.tif 000009
【図８】
0003145643.tif 000010
【図９】
0003145643.tif 000011
【図１０】
0003145643.tif 000012
【図１１】
0003145643.tif 000013